(57)【要約】【課題】  効果的にネズミを捕獲できるとともに、捕獲した後に確実に殺傷することができるネズミ捕獲器を提供すること。【解決手段】  本考案のネズミ捕獲器１は、両側に開口部を備えた筒体２と、該筒体２の一方の開口部３に連設された円錐部５とを備える筒状本体６と、前記筒体２の他方の開口部４に配設されたネズミ誘導部１０と、前記筒状本体６を回動自在に保持する支軸２０と、前記支軸２０とネズミ誘導部１０とを支える基台３０とで構成されている。  また前記筒状本体６に、円錐部５に荷重が掛かった際、円錐部５が下降する支軸係止具９を設置した。【選択図】図１
0003212191.tif 000002
【実用新案登録請求の範囲】
【請求項１】
両側に開口部を備えた筒体と、該筒体の一方の開口部に連設された円錐部とを備える筒状本体と、前記筒体の他方の開口部に配設されたネズミ誘導部と、前記筒状本体を回動自在に保持する支軸と、前記支軸とネズミ誘導部とを支える基台とで構成されていることを特徴とするネズミ捕獲器。
【請求項２】
前記筒状本体に、円錐部に荷重が掛かった際、円錐部が下降する支軸係止具を設置した請求項１記載のネズミ捕獲器。
【請求項３】
前記円錐部の先方に着脱自在の蓋具を設けた請求項１または２記載のネズミ捕獲器。
【請求項４】
前記円錐部の内部に粘着材を装着した請求項１乃至３のうちいずれか１項に記載のネズミ捕獲器。
【請求項５】
前記基台に、下降した際の円錐部の移動を抑止する抑止具を設置した請求項１乃至４のうちいずれか１項に記載のネズミ捕獲器。
【考案の詳細な説明】
【技術分野】
【０００１】  本考案は、ネズミを捕獲する捕獲器であり、特に、ネズミを捕獲した後、確実に殺傷することができるネズミ捕獲器に関する。
【背景技術】
【０００２】  ネズミが家に住みつくことで、足音や鳴き声により不快感を得るとともに、衛生の面でも多くの問題が生じる。そのため従来より、バネ式やカゴ式の捕獲器、また粘着シートや毒餌等によるネズミの駆除を行っていた。【０００３】  しかし、一般的に市販されている捕獲器は、捕獲されたネズミが見えてしまい不快感が生じた。また毒餌においては、薬剤耐性の強いネズミには効果がないという問題もあった。【０００４】  上記に関連する先行技術として、餌を取られることがなく、ねずみを連続して何匹でも捕獲することができるねずみ取り器がある（例えば特許文献１参照）。
上記特許文献には、凹状の溝を有する台を有し、筒が凹状の溝のほぼ中央に位置するように筒の概中央部を固定具で台に固定し、筒の先端上部に弓状のステーを固定したことを特徴とするねずみ取り器が開示されている。
【先行技術文献】
【特許文献】
【０００５】
【特許文献１】特開２００２−３４４２６号公報
【考案の概要】
【考案が解決しようとする課題】  しかしながら、特許文献１のねずみ取り器は、捕獲されたネズミが回収袋から逃げようとしたり鳴いたりして、不快感を与える虞がある。また複数のねずみを捕獲した場合、回収袋からネズミが逃げ出すという問題も生じた。【０００６】  そこで本考案は上記の点に鑑み、効果的にネズミを捕獲できるとともに、捕獲した後に確実に殺傷することができるネズミ捕獲器を提供することにある。
【解決を解決するための手段】
【０００７】  上記課題を解決するために、本考案のネズミ捕獲器は、  両側に開口部を備えた筒体と、該筒体の一方の開口部に連設された円錐部とを備える筒状本体と、前記筒体の他方の開口部に配設されたネズミ誘導部と、前記筒状本体を回動自在に保持する支軸と、前記支軸とネズミ誘導部とを支える基台とで構成されていることを特徴とする。
【０００８】  また前記筒状本体に、円錐部に荷重が掛かった際、円錐部が下降する支軸係止具を設置した。
【０００９】  また、円錐部の先方に着脱自在の蓋具を設けた。
【００１０】  さらに、前記円錐部の内部に粘着材を装着した。
【考案の効果】
【００１１】  ネズミが筒体から侵入して円錐部に到達すると、ネズミの自重により円錐部が下降し、筒状本体が略垂直状態に保持される。この時、ネズミは円錐部内で身動きでない状態となるため、頭部に血液が溜まり死んでしまい、ネズミを確実に捕獲して殺傷することができる。
【図面の簡単な説明】
【００１２】
【図１】本考案のネズミ捕獲器の全体図である。
【図２】筒状本体が垂直状態に保持された状態を示す。
【図３】ネズミがネズミ誘導部を掛け登ってくる状態を示す。
【図４】ネズミが筒体に侵入した状態の断面図である。
【図５】ネズミが円錐部に侵入した状態の断面図である。
【図６】筒状本体が垂直状態に保持された状態の断面図である。
【考案を実施するための形態】
【００１３】  本考案のネズミ捕獲器は、ネズミを効果的に捕獲できるとともに、捕獲した後のネズミを確実に殺傷できることを特徴とする。
以下、ネズミ捕獲器の実施の形態を図面に基づいて説明する。
【００１４】  図１に示すネズミ捕獲器１は、両側に開口部を備えた筒体２と、該筒体２の一方の開口部３に連設された円錐部５とを備える筒状本体６と、前記筒体２の他方の開口部４に配設されたネズミ誘導部１０と、前記筒状本体６を回動自在に保持する支軸２０と、前記ネズミ誘導部１０と支軸２０とを支える基台３０とで構成されている。
【００１５】  筒状本体６は、ネズミＡが容易に行き来できる径を有する筒体２と、該筒体２の一方の開口部３に連設された先細状の円錐部５とを備える。前記筒状本体６は、低価格で生産でき、且つ量産加工が容易なプラスチック樹脂や金属で形成することが望ましい。
【００１６】  円錐部５は先細状に形成されており、先端部には着脱自在の蓋具７が設置されている。前記円錐部５が先細状に形成されていることにより、図６に示すように、筒状本体６が垂直に保持されるとネズミＡが逆の状態となり、暫く放置することにより血液が頭部に集まりネズミを殺傷することができる。なお、死んだネズミＡが円錐部５の内部に留まった場合、蓋具７を取り外して棒で押し込むことにより、ネズミを容易に廃棄処分することができる。
【００１７】  ネズミ誘導部１０は、基台３０から傾斜状態に立設された傾斜部１１と、傾斜部１１の上部に設置された通路部１２とを備える。前記傾斜部１１は平板状や梯子状に形成することができる。
【００１８】  前記通路部１２は平板状を呈しており、一端部が傾斜部１１の上端に水平状に設置されている。また前記通路部１２の他端は、前記筒体２の底部を係止している状態に配置されている。
【００１９】  支軸２０は、前記筒状本体６を傾斜自在に支持するもので、基部２１は基台３０上に固定されている。また支軸２０の上端には、前記筒体２の支軸係止具９を係止する係止部２２が形成されている。
【００２０】  支軸２０の上端に、前記支軸係止具９を係止する係止部２２を形成することで、図５に示すように、筒体２から侵入したネズミＡが円錐部５に到達すると、ネズミＡの自重により円錐部５が支軸係止具９を支点に下降する。すると図６に示すように、円錐部５がさらに下降し、筒状本体６が垂直状態に回転する。
【００２１】  この際ネズミＡの頭部は、円錐部５の先端部分に配設される。この状態で暫く放置すると、血液が頭部に集まりネズミを殺傷することができる。
【００２２】  また前記基台３０には、円錐部５が下降した際の回転移動を抑止する抑止具２３が設置されている。抑止具２３は、支軸２０の後方部分に立設されており、円錐部５が回転移動した際に、円錐部５の先方を掛止することで、筒状本体６を略垂直状態に保持することができる。
【００２３】  また他の好適例として、前記円錐部５の内部に粘着材８を装着してもよい。粘着材８を装着することにより、円錐部５の内部に捕獲されたネズミＡの逃亡を防ぐことができる。なお前記粘着材８は、円錐部５の内部であればどこに装着してもよい。
【００２４】  次に、本考案のネズミ捕獲器１の使用方法を図３乃至図６に基づいて説明する。
先ず、図３に示すように、円錐部５内に収容させたエサＢの匂いに誘われ、ネズミＡが傾斜部１１を登って通路部１２に達する。
【００２５】  通路部１２に達したネズミＡは、図４に示すように、筒体２を通って円錐部５の手前まで達する。そして円錐部５をさらに進むと、図５に示すように、ネズミＡの自重により円錐部５が支軸係止具９を支点に回転下降する。
【００２６】  円錐部５がさらに回転下降すると、図６に示すように、筒状本体６が垂直状態に維持され、ネズミＡは円錐部５の先端まで滑り落ちる。この際ネズミＡの頭部は、円錐部５の先端部分に配設されるため、暫く放置すると、血液が頭部に集まりネズミを殺傷することができる。
【００２７】  ネズミＡの死亡が確認できたら、筒状本体６を支軸２０から取り外してネズミＡを廃棄処分する。なお、死んだネズミＡが円錐部５に留まってしまった場合、蓋具７を取り外して棒で押し込むことにより、ネズミを容易に廃棄処分することができる。
【００２８】  上述の構造とすることで、本考案のネズミ捕獲器は、効果的にネズミを捕獲できるとともに、捕獲した後に確実に殺傷処分することができる。
【符号の説明】
【００２９】１    ネズミ捕獲器
２    筒体
３    開口部
４    開口部
５    円錐部
６    筒状本体
７    蓋具
８    粘着材
９    支軸係止具
１０  ネズミ誘導部
１１  傾斜部
１２  通路部
２０  支軸
２１  基部
２２  係止部
２３  抑止具
３０  基台
Ａ    ネズミ
Ｂ    エサ
【図１】
0003212191.tif 000003
【図２】
0003212191.tif 000004
【図３】
0003212191.tif 000005
【図４】
0003212191.tif 000006
【図５】
0003212191.tif 000007
【図６】
0003212191.tif 000008